(57)【特許請求の範囲】
【請求項１】
複数の入力チャンネルにおける入力信号にミキシング処理を行って出力チャンネルからミキシング信号を出力するミキシング手段を備えるミキシング装置であって、
前記ミキシング手段がミキシング処理を行うために使用される動作データを記憶したカレントメモリと、
少なくともユーザ名とパスワードからなるユーザログインデータと、ミキシング処理に関連してユーザ毎に設定されているユーザ動作データを含むユーザ管理データが記憶された外部メモリ媒体を接続する外部メモリ接続手段と、
該外部メモリ接続手段に前記外部メモリ媒体が接続されたことに応じて、該外部メモリ媒体に記憶されている前記ユーザ管理データ中のユーザログインデータによる認証を行ってログインするログイン手段と、
ログインしたユーザに対応する該ユーザ管理データ中のユーザ動作データを前記カレントメモリの動作データとして自動設定する自動設定手段と、
を備えたことを特徴とするミキシング装置。
【請求項２】
さらに、
ログイン後に呼び出すことのできる動作データを複数のシーンデータとして記憶したシーンデータ記憶手段と、
ユーザ操作に応じて前記記憶されたいずれかのシーンデータを選択的に読み出し、読み出したシーンデータの動作データを前記カレントメモリの動作データとして設定するシーンリコール手段とを有し、
前記ユーザ動作データを前記シーンデータとして扱い、前記シーンリコール手段により前記ユーザ動作データを前記外部メモリ媒体から読み出して、前記カレントメモリの動作データとして設定できることを特徴とする請求項１記載のミキシング装置。
【請求項３】
ミキシング装置は固有の機器識別情報を有し、
装着された前記外部メモリ媒体に記憶されたユーザ管理データは当該ユーザ管理データに対応づけられたミキシング装置の機器識別情報も含み、
前記外部メモリ媒体に記憶されたユーザ管理データの機器識別情報と当該ミキシング装置の機器識別情報が一致する場合に、前記ユーザ管理データのユーザログインデータによる認証を行うことを特徴とする請求項１または２記載のミキシング装置。
【請求項４】
前記外部メモリ媒体には、複数のユーザ管理データを記憶することができ、ログインする際に、前記複数のユーザ管理データの中から１つのユーザ管理データを選択してログインすることができると共に、ユーザ管理データ毎にユーザ権限を異ならせることができるようにしたことを特徴とする請求項１ないし３のいずれかに記載のミキシング装置。
【請求項５】
前記外部メモリ媒体のユーザ管理データは、当該ユーザ管理データのユーザログインデータに基づいてログインしたユーザに対して許容されるミキシング装置の操作を規定したユーザ権限データを含み、
前記ユーザ権限データに基づき管理者権限を付与されたユーザが、ミキシング装置に何れのユーザもログインしていない状態において許容される操作を規定したデフォルト権限を設定し、
当該ミキシング装置は何れのユーザもログインしていない状態において前記デフォルト権限にて利用可能であるとともに、前記ログイン手段によりユーザがログインした状態であれば、当該ユーザに付与されたユーザ権限にて利用可能であることを特徴とする請求項１ないし３のいずれかに記載のミキシング装置。
【請求項６】
ユーザのログアウト指示に応じて、当該ミキシング装置を何れのユーザもログインしていない状態とするログアウト手段を有し、
前記ログアウト手段によるログアウトをせずに前記外部メモリ媒体の取り外しを検知した場合でも、前記ユーザのログイン状態および当該ユーザ権限はそのまま維持されることを特徴とする請求項４または５に記載のミキシング装置。
【請求項７】
前記ユーザ動作データを編集可能に保持する手段と、
ユーザのログアウト指示に応じて、当該ミキシング装置を何れのユーザもログインしていない状態とするログアウト処理を行うログアウト手段と、
前記ログアウト処理を行う際、保持したユーザ動作データを外部メモリ媒体に書き込むか否かをユーザに選択させ、書き込む旨が指示されたとき、外部メモリ媒体のユーザ動作データを前記保持されているユーザ動作データで書き換える手段と、
を備えることを特徴とする請求項１ないし３のいずれかに記載のミキシング装置。
【請求項８】
前記外部メモリ媒体に記録されたユーザ管理データは、自動設定手段による自動設定を実行するか否かを示すヘッダ情報を含み、
前記自動設定手段は、ユーザ管理データのヘッダ情報にて自動設定を実行する旨が示されているときに自動設定を行うことを特徴とする請求項１ないし３のいずれかに記載のミキシング装置。
【発明の詳細な説明】
【技術分野】
【０００１】
この発明は、ログイン機能を有するミキシング装置に関する。
【背景技術】
【０００２】
従来、多数のマイクロホンあるいは電気・電子楽器などから出力される信号のレベルや周波数バランスを調整し、ミキシングしていくつかのミキシング・グループにまとめてパワーアンプや各種録音機器に送り出したり、エフェクタや演奏しているプレーヤに送り出すミキシング装置が知られている。ミキシング装置を操作するオペレータは、楽器音や歌唱の各オーディオ信号の音量や音色を、ミキシング・コンソールにおける各種パネル操作子を出力信号をモニタしながら操作することにより、演奏を最もふさわしく表現していると思われる状態に調整している。ミキシング装置は、入力信号系列として複数の入力チャンネルと該入力チャンネルから出力される信号をミキシングする混合バスと、ミキシングされた信号を出力する出力系列である出力チャンネルを備えている。各入力チャンネルはそれぞれ入力する信号の周波数バランスや送り出しレベル等を制御して各混合バスに出力し、各混合バスはそれぞれ入力された信号をミキシングして対応する出力チャンネルに出力する。各出力チャンネルは混合バスから入力されるミキシング信号の周波数バランスやレベルを制御して出力している。
【０００３】
このようなミキシング機能を有するディジタルミキサにおいては、ユーザ名およびパスワードを入力してユーザの認証を行うことによりログインするようにしたログイン機能を持ったディジタルミキサが知られている。ログイン機能を持ったディジタルミキサにおいては、ユーザ名およびパスワードを入力してユーザの認証を行わないとディジタルミキサを操作できないようにロックすることができると共に、ログインした各ユーザ毎に使用できる機能を制限することができるようになる。
【発明の開示】
【発明が解決しようとする課題】
【０００４】
このようなログイン機能を有するミキシング装置は、あるユーザでログインすると、そのユーザに設定された権限でミキサを使用できるようになるものの、その時点でのカレントメモリのデータはログインする直前のデータが引き継がれて、ミキシングの設定は直前の状態のままとされている。すると、そのミキシング装置の操作に慣れているユーザであっても、ログイン後にまず現在の設定状態を確認した上で、この設定状態から所望の設定状態へと変更しなければならず、迅速な操作ができないという問題があった。さらに、そのミキシング装置の操作に慣れていないユーザであれば、直前の設定を理解することができず所望の設定まで行き着かない場合もあるという問題点があった。
【０００５】
そこで、本発明はログインした際に、ログインしたユーザに対応するミキシングの設定になるようにしたミキシング装置を提供することを目的としている。
【課題を解決するための手段】
【０００６】
上記目的を達成するために、本発明のミキシング装置は、ログインした際に、ユーザ毎のユーザ動作データが記憶されている記憶手段からログインしたユーザに対応するユーザ動作データが読み出されてカレントメモリに設定されるようにしたことを最も主要な特徴としている。
【発明の効果】
【０００７】
本発明によれば、ログインした際に、ユーザ毎のユーザ動作データが記憶されている記憶手段からログインしたユーザに対応するユーザ動作データが読み出されてカレントメモリに設定されるようにしたことにより、ログインした際にはユーザが自ら設定した設定状態となる。このことから、設定状態を直ちに理解してミキシング装置を操作することができるようになる。
また、ログイン後に呼び出すことのできる複数種類のシーンデータを有し、ログインしたユーザに対応するユーザ動作データがシーンデータとして扱われるようにすると、ログイン後に必要に応じてシーンデータを呼び出すことができると共に、ログインした後でそのユーザのいつもの設定を呼び出すことができるようになる。
さらに、ユーザ管理データが記憶されている外部メモリ媒体が装着されて、記憶されているユーザ管理データに基づいてログインすることにより、外部メモリ媒体に記憶されているユーザ動作データが自動的にカレントメモリにリコールされるようにすると、各ユーザは外部メモリ媒体を装着するだけで、ユーザが自ら設定した設定状態とすることができるようになる。この場合、ミキシング装置内に保存するユーザ管理データを、最小限とすることができる。
さらにまた、ミキシング装置は固有の機器識別情報を有し、装着された外部メモリ媒体に記憶されたユーザ管理データに含まれている機器識別情報の認証も行われてログインされるようにすると、外部メモリ媒体に記憶されているユーザ管理データが同じ機種の別機器で作成したユーザ管理データであった場合にログインすることを防止することができる。
さらにまた、外部メモリ媒体に複数のユーザ管理データを記憶するようにすると、一人のユーザーが、各場面毎に専用のユーザ管理データを用意して、その場面に応じたミキシング処理の設定を行うことができる。その際、各ユーザ管理データのユーザ権限を、そのユーザ管理データが使われる場面に合わせて異ならせるようにすると、してはいけない操作を無効とすることができて操作ミスを防止することができるようになる。
【発明を実施するための最良の形態】
【０００８】
本発明において、ログインした際に、ログインしたユーザに対応するミキシングの設定が行われるミキシング装置を提供するという目的を、ログインした際に、ユーザ毎のユーザ動作データが記憶されている記憶手段からログインしたユーザに対応するユーザ動作データが読み出されてカレントメモリに設定されることで実現した。
【０００９】
本発明のミキシング装置の実施例であるディジタルミキサの構成を示すブロック図を図１に示す。
図１に示す本発明の実施例に係るディジタルミキサ１において、ディジタルミキサ１の全体の動作を制御すると共に、ミキシング用の操作子の操作に応じて制御信号を生成しているＣＰＵ（Central Processing Unit）１０と、ＣＰＵ１０が実行するミキシング制御プログラム等の動作ソフトウェアやユーザ管理データが格納されていると共に、様々なシーンのミキシング処理を行うための動作データであるシーンデータが記憶されるシーンメモリ領域が設定されている書き換え可能な不揮発性のフラッシュメモリ１１と、ＣＰＵ１０のワークエリアの領域、現在のミキシング処理に関連する動作データが記憶されるカレントメモリの領域、読み出された後述するユーザ管理データが記憶される領域等が設定されるＲＡＭ（RandomAccessMemory）１２を備えている。このように、フラッシュメモリ１１に動作ソフトウェアを格納することにより、フラッシュメモリ１１内の動作ソフトウェアを書き換えることで、動作ソフトウェアをバージョンアップすることができる。また、ディジタルレコーダ等のその他の機器は、入出力インタフェースであるその他Ｉ／Ｏ  １３を介してディジタルミキサ１に接続される。さらに、ＵＳＢインタフェース（ＵＳＢ  Ｉ／Ｏ）１４を備え、ＵＳＢ  Ｉ／Ｏ１４にはユーザ管理データ等が記憶されているＵＳＢメモリ１５を装着することができるようにされている。
【００１０】
ディジタルミキサ１の全ての入力と全ての出力は波形データインタフェース（波形Ｉ／Ｏ）１６により行われる。この波形Ｉ／Ｏ１６は、アナログ信号が入力される複数のＡ入力ポートと、アナログ信号が出力される複数のＡ出力ポートと、外部からディジタル信号を入力すると共に外部へディジタル信号を出力する双方向とされている複数のＤ入力／Ｄ出力ポートとを備えている。また、信号処理部１７は多数のＤＳＰ（Digital Signal Processor）を用いて構成されており、ＣＰＵ１０の制御の元でミキシング処理やエフェクト処理などを行っている。表示器１８には、ミキシング処理に関連する設定画面等を表示する液晶表示装置等からなるディスプレイとシーン番号を表示するディスプレイが用意されている。電動フェーダ１９は、入力チャンネルの信号あるいは出力チャンネルの信号のレベルを調整するフェーダであり、手動および電動によりレベル調整することができる。操作子２０は、パネルに設けられている操作子であり、ログイン／ログアウトキー、シーンメモリに対するストア／リコールキー、ユーザ管理データのストア／リコールキー、１２チャンネル分設けられているチャンネルストリップを出力チャンネルあるいは入力チャンネルに割り当てる割当スイッチ、表示器１８に表示されるカーソルを移動するカーソル移動キー、設定される値を増減する増減キー、設定される値を選択するロータリエンコーダ、設定した値を確定させるエンターキー等である。各部はバス２１に接続されている。
【００１１】
本発明にかかるディジタルミキサ１における操作子２０が設けられているパネルの外観の概略を図２に示す。
図２において、表示器１８の一つであるドットマトリクス表示部１８−１の下側には、１２チャンネル分のチャンネルストリップ２２−１，２２−２，・・・・，２２−１２が設けられている。このチャンネルストリップ２２−１〜２２−１２には、そのチャンネルストリップ２２−１〜２２−１２に割り当てられたチャンネルを選択する選択スイッチ（ＳＥＬ）２２ａと、そのチャンネルをオンするチャンネルスイッチ２２ｂと、割り当てられたチャンネルのレベルを制御する電動フェーダ１９におけるフェーダつまみ２２ｃと、割り当てられたチャンネルを検聴するキュー（ＣＵＥ）スイッチ２２ｄがそれぞれ設けられている。このチャンネルストリップ２２−１〜２２−１２に１２チャンネルづつ割り当てるレイヤーを用いることにより、全入力チャンネルおよび全出力チャンネルを制御することができる。
【００１２】
さらに、ドットマトリクス表示部１８−１の右にはログインキー２３とログアウトキー２４が設けられており、このログインキー２３を操作するとドットマトリクス表示部１８−１にユーザ名とパスワードを入力するログイン画面が表示されてログイン処理を行えるようになる。また、ログアウトキー２４を操作するとドットマトリクス表示部１８−１にログアウト画面が表示されてログアウト処理を行えるようになる。ログアウトキー２４の下にはユーザ設定リコールキー２５とユーザ設定ストアキー２６が設けられており、ユーザ設定リコールキー２５を操作すると、フラッシュメモリ１１あるいはＵＳＢメモリ１５からＲＡＭ１２上にコピーされたユーザ動作データがカレントメモリにリコールされる。また、ユーザ設定ストアキー２６を操作すると、カレントメモリ上のユーザ動作データがＲＡＭ１２上にストアされる。さらにまた、ドットマトリクス表示部１８−１の右下には表示器１８の一つであるシーン番号表示部１８−２と、シーンデータをカレントメモリからシーンメモリにストアするストアキー２８ａおよびシーンデータをシーンメモリからカレントメモリへリコールするリコールキー２８ｂと、対象とするシーン番号を切り換えるアップキー２８ｃとダウンキー２８ｄとが設けられている。さらにまた、シーン番号表示部１８−２の下にドットマトリクス表示部１８−１に表示されるカーソルを上下左右に移動させるカーソル移動キー２９と、種々の設定可能な値を増減する増減キー３０と、種々の設定可能な値を選択できるロータリエンコーダ３１と、増減キー３０やロータリエンコーダ３１により選択された設定値を確定させるエンターキー３２とが設けられている。
【００１３】
次に、本発明にかかる図１に示す構成のディジタルミキサ１において電動フェーダ１９や操作子２０が操作された際に実行される処理のフローチャートをシーンメモリおよびユーザ管理データのデータ構造と共に図３に示す。
電動フェーダ１９や操作子２０が走査されていずれかが操作されたことが検出されると、図３に示すように操作子検出処理が実行（ステップＳ１）されて、操作された電動フェーダ１９あるいは操作子２０が検出されると共に、その操作量やオン／オフ等の操作内容が検出される。次いで、検出された電動フェーダ１９あるいは操作子２０とその操作内容に基づいて変更されたデータでカレントメモリの該当するデータ部分がエディットされる（ステップＳ２）。カレントメモリにおけるシーンデータで信号処理部（ＤＳＰ）１７のミキシング処理が制御されることにより、信号処理部（ＤＳＰ）１７において操作された電動フェーダ１９あるいは操作子２０の操作内容が反映されたミキシング処理が行われる（ステップＳ３）。この場合、ステップＳ１の操作検出処理においてログインユーザの権限がユーザ管理データにおけるユーザ権限データから取得されて、そのユーザ権限で許容されていない操作は無効とされる。また、操作検出処理においてリコールキー２８ｂが操作されたと検出された場合は、アップ／ダウンキー２８ｃ、２８ｄで指定されてシーン番号表示部１８−２に表示されている番号のシーンデータがシーンメモリからカレントメモリのシーン領域にリコールされるようになる。さらに、操作検出処理においてストアキー２８ａが操作されたと検出された場合は、カレントメモリのシーン領域のシーンデータがアップ／ダウンキー２８ｃ、２８ｄで指定されてシーン番号表示部１８−２に表示されている番号のシーンデータとしてシーンメモリにストアされるようになる。
【００１４】
図３にはシーンメモリのデータ構造およびユーザ管理データのデータ構造も示されている。シーンメモリはフラッシュメモリ１１に設定されており、会議室から宴会場、ミニシアターや多目的ホールまでの様々なシーンを実現するミキシング処理を行うシーン１，シーン２，シーン３，・・・シーンＮのシーンデータから構成されている。ユーザ管理データは、フラッシュメモリ１１や外部メモリであるＵＳＢメモリ１５に記憶されており、ＲＡＭ１２にロードして使用される。ユーザ管理データは、ユーザヘッダ、ユーザログインデータ、ユーザ権限データ、ユーザプレファレンス、ユーザ動作データから構成されている。ユーザヘッダには、ユーザ管理データであること、ログイン時のユーザ動作データの自動リコールが有効とされているか、ユーザ動作データを持っているかの情報が含まれている。ユーザログインデータはユーザ名とパスワードとから構成される認証用のデータである。ユーザ権限データでは許容される操作のユーザレベルが決定されている。ユーザプレファレンスには、ユーザの好みとする画面の表示モードなどが定義されている。ユーザ動作データは信号処理部（ＤＳＰ）１７のミキシング処理を制御するデータであり、シーンデータとユーザ動作データとのデータの種類は変わらない。そのため、あるユーザでログインすると、そのユーザ管理データ中のユーザ動作データは内部的に「シーン０」として扱われるようになり、ログイン時のユーザ動作データの自動リコールが有効とされている場合は、ログインした際にカレントメモリのシーン領域にユーザ動作データが書き込まれるようになる。これにより、ログインした際にはユーザが自ら設定した設定状態となり、設定状態を直ちに理解してディジタルミキサ１を操作することができるようになる。
【００１５】
ユーザ権限データのユーザレベルのテンプレートとして、４つのユーザレベルが定義されている。個別のアカウントのユーザレベルはいずれかのユーザレベルに設定することができ、アカウント毎に許容される操作を細かく変更することが可能とされている。この４つのユーザレベルは低い順に「ゲスト」「ジェネラル」「パワー」「アドミニストレータ」とされ、そのユーザレベルで許容される操作を次に示す。この場合、各ユーザレベルでは低位のユーザレベルで許容されている操作は全て許容されることから、そのユーザレベルで許容が追加される操作が各ユーザレベルで次に示されている。
（１）ゲストユーザ（Guest）
・チャンネルストリップのキュー（ＣＵＥ）
図２に示すキュー（ＣＵＥ）スイッチ２２ｄの操作が有効
・チャンネルストリップのオン
図２に示すチャンネルスイッチ２２ｂの操作が有効
・チャンネルストリップのフェーダ
図２に示すフェーダつまみ２２ｃによる電動フェーダ１９の操作が有効
（２）ジェネラルユーザ（General）
・Talkback
オペレータとステージ等の間のトークバックの操作が有効
・SceneRecall
選択したシーンデータをシーンメモリからカレントメモリにリコールする操作が有効
・LibraryRecall
入力／出力チャンネルにおけるイコライザやコンプレッサのパラメータセットをリコールする操作が有効
・Layerの切り換え
１２チャンネルのチャンネルストリップに１２チャンネルの入力／出力チャンネルを割り当てるレイヤーの切り換え操作が有効
（３）パワーユーザ（Power）
・SceneStore
シーンデータをカレントメモリからシーンメモリにストアする操作が有効
・LibraryStore
上記パラメータセットをストアする操作が有効
・InputPatch
入力パッチを設定する操作が有効
・OutputPatch
出力パッチを設定する操作が有効
（４）アドミニストレータユーザ（Admin）
・WordClock設定
ワードクロックの同期設定の操作が有効
・Cascade設定
複数のディジタルミキサをカスケード接続する設定の操作が有効
・MIDI設定
ＭＩＤＩメッセージの受信設定の操作が有効
・Setup
データをリコールした際等にそのデータの一部を反映させないセーフ機能等の設定操作が有効
・Account設定
ユーザアカウントの作成や権限の変更の操作が有効。「ユーザアカウント」は、一般には、ログインのためのユーザ名とパスワード、および、そのユーザ名でログインした場合に付与されるユーザ権限のことを云い、本発明の実施例においては、ユーザ管理データのうちのログインデータとユーザ権限データに相当している。しかしながら、ここでの「ユーザアカウントの作成」は、新たなユーザ名とパスワードに基づいてログインデータとユーザ権限データだけを作成するのではなく、新たな１つのユーザ管理データ全体を作成するようにしている。
【００１６】
これらの４つのユーザレベルのいずれかを設定した後で、有効とされる操作の種類をアカウント毎に変更することができる。なお、ジェネラルユーザではつまみを使用した動作データの編集はできるが、編集後のユーザ動作データの保存はできない。パワーユーザ以上であれば編集後のユーザ動作データの保存もできる。また、ジェネラルユーザでは入力／出力パッチの個別の設定はできないが、シーンデータには入力／出力パッチの切り換えデータも入っているためシーンデータのリコールを行ってシーンデータを切り換えることにより入力／出力パッチの切り替えを間接的にできる。パワーユーザ以上であれば、個別のパッチの切り替えもできる。さらに、一人のユーザが使う場合でも各場面毎に使用するアカウントを用意して、アカウント毎のユーザ権限をそのアカウントに対応する場面に合わせて異ならせ、各場面毎に対応するアカウントでログインしなおすようにすると、各場面でしてはいけない操作を無効とすることができて操作ミスを防止することができるようになる。
ところで、ディジタルミキサ１の電源を投入した際にはログインすることなくデフォルトのユーザレベルに設定される。この場合のデフォルトのユーザレベルは、アドミニストレータユーザのみがデフォルトのユーザレベルを設定することができるようにされている。設定されるデフォルトのユーザレベルはゲストユーザとするのが一般的であるが、ログインせずに常用する場合に備えてジェネラルユーザ以上に設定しても良い。この場合には、誤動作防止に備えてログインユーザをデフォルトユーザより低いユーザレベルとしてユーザ権限を低く設定することもできる。
【００１７】
次に、本発明にかかるディジタルミキサ１の電源投入時に実行される電源投入処理のフローチャートを図４に示す。
図４に示すように、本発明にかかるディジタルミキサ１において電源が投入されると、ステップＳ１０にて各種レジスタやＲＡＭ１２が初期化される権限設定以外の初期設定処理が行われる。次いで、ステップＳ１１にてデフォルト権限の設定処理が行われる。デフォルトユーザのユーザ管理データはフラッシュメモリ１１に記憶されており、この設定処理ではユーザ管理データ中のユーザ権限データとユーザプレファレンスのみが使用されるよう設定され、ユーザログインデータおよびユーザ動作データは使用されない。これにより、ログインすることなくデフォルト権限でディジタルミキサ１を操作することが可能となる。ここで、ステップＳ１２にてイベント発生があるか否かが判断され、イベント発生があると判断されるとステップＳ１３に分岐してイベントに対応する処理を行うイベント処理が起動される。イベントとしては、ＵＳＢメモリ１５を挿入したＵＳＢメモリ挿入イベント、電動フェーダ１９を操作したフェーダ操作イベント、フェーダ以外の各種操作子を操作した操作子操作イベント、パソコンあるいはカスケード接続された他のディジタルミキサからの通信イベント、タイマイベントなどがある。ステップＳ１３のイベント処理が終了すると、ステップＳ１２においてイベント発生がないと判断された場合と同様にステップＳ１４に進み、イベント処理以外のその他処理が行われる。ステップＳ１２ないしステップＳ１４の処理は繰り返し実行される。
【００１８】
次に、ステップＳ１３で実行されるイベント処理の一つであるＵＳＢメモリ挿入イベント処理のフローチャートを図５に示す。
ＵＳＢメモリ１５がＵＳＢ  Ｉ／Ｏ１４に装着されると、このことが検出されてＵＳＢメモリ挿入イベント処理が起動され、ステップＳ２１にてＵＳＢメモリ１５の記憶内容が読み出され、そこにユーザ管理データがあるか否かが判断される。ＵＳＢメモリ１５にユーザ管理データがある場合は、そのユーザ管理データの認証が行われる。すなわち、ＵＳＢメモリ１５が装着されるディジタルミキサ１には固有の機器識別情報（ＩＤ）が与えられており、ディジタルミキサ１の機器ＩＤと、装着されたＵＳＢメモリ１５のユーザ管理データの機器ＩＤとが一致するか否かが判断される。ここで、ＵＳＢメモリ１５中のユーザヘッダの情報を見て機器ＩＤが一致するユーザ管理データがあると判断された場合は、ＵＳＢメモリ１５における該当するユーザ管理データが読み出されてＲＡＭ１２に書き込まれる。この場合、複数の機器ＩＤが一致するユーザ管理データが記憶されている場合は複数のユーザ管理データがＲＡＭ１２上に書き込まれる。そして、機器ＩＤが一致しないユーザ管理データは無視されると共に、機器ＩＤが一致するユーザ管理データがないと判断された場合はそのままＵＳＢメモリ挿入イベント処理は終了し、電源投入処理にリターンされる。これにより、同じ機種の別のミキシング装置で作成したユーザ管理データでディジタルミキサ１にログインしようとすることを防止することができる。
【００１９】
また、ステップＳ２１で機器ＩＤが一致するユーザ管理データがあると判断された場合は、ステップＳ２２に進んでドットマトリクス表示部１８−１に読込＆ログイン画面が表示される。この画面では、ユーザ名の入力欄とパスワードの入力欄が設けられており、ＵＳＢメモリ１５に記憶されていた機器ＩＤが一致するいずれかのユーザ管理データのユーザを選択することができると共に、選択したユーザのパスワードを入力することができる。そして、ステップＳ２３にてユーザの選択操作とパスワードの入力操作が行われたか否かが判断され、その操作が行われたと判断されるとステップＳ２４にて選択されたユーザがユーザ欄に表示され、入力されたパスワードがパスワード欄に表示（パスワードは「＊」等の記号に置き換えて表示してもよい）されるよう読込＆ログイン画面が更新されてドットマトリクス表示部１８−１に表示されるようになる。ステップＳ２４の処理が終了すると、ステップＳ２３において操作がないと判断された場合と同様にステップＳ２５に進む。ステップＳ２５ではドットマトリクス表示部１８−１の表示画面において「ＯＫ」あるいは「キャンセル（Cancel）」のボタン操作が行われたか否かが判断される。ここで、「ＯＫ」ボタンが操作されたと判断されるとステップＳ２６に進み、「キャンセル（Cancel）」ボタンが操作されたと判断されるとＲＡＭ１２上に書き込まれたユーザ管理データは全て消去されてＵＳＢメモリ挿入イベント処理は終了し、電源投入処理にリターンされる。さらに、ボタン操作が行われなかったと判断された場合はステップＳ２３に戻りユーザ選択操作が再度行われるようになる。
【００２０】
ステップＳ２６では選択されたユーザの認証が行われ、入力したパスワードが、ＵＳＢメモリ１５における当該ユーザのパスワードと一致するか否かが判断される。ここで、パスワードが一致すると判断された場合はステップＳ２８に進み、パスワードが一致しないと判断された場合はステップＳ２７に分岐してドットマトリクス表示部１８−１にパスワードが一致しない旨のエラー表示が行われ、ステップＳ２３に戻りユーザ選択操作が再度行われるようになる。ステップＳ２８ではパスワードが一致したユーザのユーザ権限データに基づいてユーザ権限が設定され、そのユーザ名がドットマトリクス表示部１８−１に表示されると共に、ユーザプレファレンスの設定やパスワードが一致したユーザのユーザ動作データの準備等のその他の設定が行われる。次いで、ステップＳ２９にてパスワードが一致したユーザのユーザ管理データにおけるユーザヘッダをみてログイン時の自動リコールが有効とされているか否かが判断される。ここで、自動リコールが有効になっていると判断された場合はステップＳ３０に分岐し、ユーザにリコールするか否かの確認を求める。この確認では、ドットマトリクス表示部１８−１に「リコールＯＫ」と「リコールＮＯ」のダイヤログを表示してユーザの確認を待つようにする。ここで、ユーザが「リコールＯＫ」を選択するとステップＳ３１に進みステップＳ２８で用意されたユーザ動作データがＲＡＭ１２からカレントメモリにリコールされる。そして、ステップＳ３１の処理が終了した場合、自動リコールが有効になっていないとステップＳ２９で判断された場合、および、ステップＳ３０でユーザが「リコールＮＯ」を選択した場合はログインしたユーザ以外のユーザ管理データをＲＡＭ１２上から消去してＵＳＢメモリ挿入イベント処理は終了し、電源投入処理にリターンされる。
【００２１】
このように、ＵＳＢメモリ１５をディジタルミキサ１に装着した際にＵＳＢメモリ１５に記憶されているユーザ管理データに基づくユーザレベルでログインできるようになる。ログイン後においては、ＵＳＢメモリ１５をディジタルミキサ１から取り外してもログインされたユーザのユーザ権限は継続されるようになる。このようにしても、ログインされたユーザのユーザ動作データはＲＡＭ１２上に書き込まれているため、ユーザ動作データを編集したりユーザ動作データを再度リコールしても支障が生じることはない。この状態において、機器ＩＤが一致する異なるユーザ管理データが記憶されているＵＳＢメモリ１５’をディジタルミキサ１に装着すると、ＵＳＢメモリ１５’に記憶されているユーザ管理データのユーザ権限でログインし直すことができ、異なるユーザ権限でディジタルミキサ１を操作することができるようになる。
また、ＵＳＢメモリ１５には複数のユーザ管理データを記憶しておくことができる。例えば、一人のユーザが各場面毎にアカウントの異なる専用のユーザ管理データを用意して、それぞれ対応する場面のユーザ動作データを設定しておけば、その各場面において、対応するアカウントあるいはユーザ管理データを選択してログインすることにより、その場面に応じたミキシング処理の設定を行うことができるようになる。その際、各ユーザ管理データのユーザ権限データを、そのユーザ管理データが使われる場面に応じて適宜設定しておくことにより、その場面においてしてはいけない操作を無効とすることができて操作ミスを防止することができるようになる。
さらに、図５に示すＵＳＢメモリ挿入イベント処理は、図２に示すログインキー２３を操作した際にも起動される。この場合には、フラッシュメモリ１１にユーザ管理データが記憶されているか確認され、以降は上述したのと同様の処理が行われて、フラッシュメモリ１１に記憶されているユーザ管理データに基づくユーザレベルでログインできるようになる。
【００２２】
次に、ログアウトキー２４を操作した場合にステップＳ１３で実行されるイベント処理の一つであるログアウト操作イベント処理のフローチャートを図６に示す。
ログアウトキー２４が操作されてログアウト操作イベント処理が起動されるとステップＳ４０にてドットマトリクス表示部１８−１にログアウト画面が表示される。このログアウト画面においては、ログアウトするかログアウトをキャンセルするかのいずれかをボタン操作により選択することができ、ステップＳ４１にてログアウトするボタン操作がされたと判断されるとステップＳ４２に進む。また、ステップＳ４１にてログアウトをキャンセルするボタン操作がされたと判断されると、ログアウトされることなくそのままログアウト操作イベント処理は終了し、電源投入処理にリターンされる。ステップＳ４２では、ミキシング処理を行っている際にユーザプレファレンスやユーザ動作データを変更することがあることから、変更後のデータを保存できるように「現在のデータを保存」する画面をドットマトリクス表示部１８−１に表示する。「現在のデータを保存」する表示画面の例を図７に示すが、この表示画面に示すようにパスワード、ユーザプレファレンスおよびユーザ動作データを保存することができるようにされてその先頭にチェック欄が設けられていると共に、保存「する」「しない」の欄が表示されている。このチェック欄にチェックを入れることによりその現在のデータが保存されるようになる。なお、チェックはログイン後に該当するデータを変更した際に自動的にチェックが入るようになされているが、ユーザが任意にチェックを入れたりはずしたりすることもできる。
【００２３】
ステップＳ４３では図７に示す「現在のデータを保存」する表示画面においていずれのボタンが操作されたかが判断され、ここで「する」ボタンを操作したと判断されるとステップＳ４４に分岐する。ステップＳ４４では、対応するユーザ管理データにおけるチェックの入っているパスワード、ユーザプレファレンスおよびユーザ動作データが更新される。この更新では、ＲＡＭ１２上の変更されたユーザ動作データで、フラッシュメモリ１１あるいはＵＳＢメモリ１５の対応するユーザ動作データが更新される。この場合、対応するユーザ管理データがＵＳＢメモリ１５に記憶されていて、当該ＵＳＢメモリ１５がディジタルミキサ１に装着されていない場合は、そのＵＳＢメモリ１５の装着を促す要求のメッセージをドットマトリクス表示部１８−１に表示し、装着を待ってＵＳＢメモリ１５の対応するユーザ管理データを更新する。この際に、ＵＳＢメモリ１５への保存をキャンセルすることもできる。ステップＳ４４の処理が終了すると、ステップＳ４３にてユーザ動作データを保存「しない」ボタンが操作された場合と同様に、ステップＳ４５に進みデフォルトのユーザ権限を設定すると共に、ログインしたユーザ名を消去し、その他設定を行いログアウト操作イベント処理は終了する。
【００２４】
以上説明した本発明のミキシング装置においては、電源を投入することによりあらかじめ設定されているデフォルト権限でミキシング装置を使用することができる。その後にログインキーを操作したり、ＵＳＢメモリを装着することにより内部に保存されているユーザ管理データあるはＵＳＢメモリに保存されているユーザ管理データに含まれているログインデータを使用する認証を行ってそのユーザ管理データで定められたユーザ権限でログインすることができる。このログインをする際に、ユーザ管理データに含まれているミキシング処理部を制御するデータであるユーザ動作データをカレントメモリに自動的にリコールすることができる。リコールすることにより、ログインした際にユーザが自ら設定した設定状態となり、設定状態を直ちに理解してミキシング装置を操作することができるようになる。
また、ＵＳＢメモリには複数のユーザ管理データを記憶しておくことができ、複数のユーザ管理データを記憶するようにすると、一人のユーザーが、各場面毎に専用のユーザ管理データを用意して、その場面に応じたミキシング処理の設定を行うことができる。その際、各ユーザ管理データのユーザ権限を、そのユーザ管理データが使われる場面に合わせて異ならせるようにすると、してはいけない操作を無効とすることができて操作ミスを防止することができるようになる。
【産業上の利用可能性】
【００２５】
上記の説明では、シーンメモリおよびカレントメモリの領域をフラッシュメモリ１１に設定していたが、ハードディスク装置を設けてハードディスク装置にシーンメモリおよびカレントメモリの領域を設定するようにしてもよい。
【図面の簡単な説明】
【００２６】
【図１】本発明のミキシング装置の実施例であるディジタルミキサの構成を示すブロック図である。
【図２】本発明のミキシング装置の実施例であるディジタルミキサにおけるパネルの外観の概略を示す図である。
【図３】本発明にかかるディジタルミキサにおいて電動フェーダや操作子が操作された際に実行される処理のフローチャートをシーンメモリおよびユーザ管理データのデータ構造とを示す図である。
【図４】本発明にかかるディジタルミキサの電源投入時に実行される電源投入処理のフローチャートである。
【図５】本発明にかかるディジタルミキサで実行される電源投入処理におけるイベント処理の一つであるＵＳＢメモリ挿入イベント処理のフローチャートである。
【図６】本発明にかかるディジタルミキサで実行される電源投入処理におけるイベント処理の一つであるログアウト操作イベント処理のフローチャートである。
【図７】本発明にかかるディジタルミキサで実行されるログアウト操作イベント処理において表示される画面の一例を示す図である。
【符号の説明】
【００２７】
１  ディジタルミキサ、１０  ＣＰＵ、１１  フラッシュメモリ、１２  ＲＡＭ、１３  その他Ｉ／Ｏ、１４  ＵＳＢ  Ｉ／Ｏ、１５  ＵＳＢメモリ、１６  波形Ｉ／Ｏ、１７  信号処理部、１８  表示器、１８−１  ドットマトリクス表示部、１８−２  シーン番号表示部、１９  電動フェーダ、２０  操作子、２１  バス、２２−１〜２２−１２  チャンネルストリップ、２２ａ  選択スイッチ（ＳＥＬ）  、２２ｂ  チャンネルスイッチ、２２ｃ  フェーダつまみ、２２ｄ  キュー（ＣＵＥ）スイッチ、２３  ログインキー、２４  ログアウトキー、２５  ユーザ設定リコールキー、２６  ユーザ設定ストアキー、２８ａ  ストアキー、２８ｂ  リコールキー、２８ｃ  アップキー、２８ｄ  ダウンキー、２９  カーソル移動キー、３０  増減キー、３１  ロータリエンコーダ、３２  エンターキー
【図１】
0004692167.tif 000002
【図２】
0004692167.tif 000003
【図３】
0004692167.tif 000004
【図４】
0004692167.tif 000005
【図５】
0004692167.tif 000006
【図６】
0004692167.tif 000007
【図７】
0004692167.tif 000008